(57)【特許請求の範囲】
【請求項１】
鉄筋コンクリート造又は鉄骨鉄筋コンクリート造等の構築物の主要構造部における鉄筋の継手手段として鉄筋径より太径となる継手金物を使用し、該継手金物が対向配置される空間部位置に開口部を設ける構造において、該継手金物が配置される位置にせん断補強筋を配設せず、該継手金物の両端部外方位置となる主要構造部の対向する最外側の鉄筋相互間に巻き付ける鉄筋を密状態とした集約せん断補強筋とし、該継手金物と該集約せん断補強筋とで囲まれた無筋状態の空間部に開口部、その周囲の残余空間部に該開口部を囲むように斜材部材或いは湾曲部材並びにそれらに連続する直線部材を有する補強鉄筋を設け、該補強鉄筋を該集約せん断補強筋位置まで延設し、その重なる位置では内側に配設し、該補強鉄筋の一部を該集約せん断補強筋と連結して開口部補強筋としたことを特徴とする継手金物部位に設けた開口部の補強構造。
【請求項２】
集約せん断補強筋は、主要構造部の長手方向において、鉄筋相互が接する状態の密接配設してなることを特徴とする請求項１記載の継手金物部位に設けた開口部の補強構造。
【請求項３】
集約せん断補強筋は、主要構造部の長手方向において、鉄筋相互間に小間隔が生じるように集中状態で配設してなることを特徴とする請求項１記載の継手金物部位に設けた開口部の補強構造。
【請求項４】
開口部補強筋は、直線部材と斜材部材とを組み合わせてなることを特徴とする請求項１乃至３のいずれか記載の継手金物部位に設けた開口部の補強構造。
【請求項５】
開口部補強筋は、四角形部材と多角形部材或いは多角形部材相互又は多角形部材と円形部材或いは円形部材相互等を適宜組み合わせてなることを特徴とする請求項１乃至３のいずれか記載の継手金物部位に設けた開口部の補強構造。
【請求項６】
開口部補強筋は、開口部の長手方向に沿って延出し、該開口部を囲むスパイラル状の鉄筋としてなることを特徴とする請求項１乃至３のいずれか記載の継手金物部位に設けた開口部の補強構造。
【請求項７】
開口部補強筋は、中子筋に連結してなることを特徴とする請求項１乃至６のいずれか記載の継手金物部位に設けた開口部の補強構造。
【発明の詳細な説明】
【技術分野】
【０００１】
本発明は、鉄筋コンクリート造又は鉄骨鉄筋コンクリート造等の建築や土木等の構築物や構造物（以下、単に構築物という）の梁や柱等の主要構造部における鉄筋の継手手段として継手金物を使用し、その継手金物の配設部位に開口部や開孔部（以下、開口部という）を設けた構造において、該開口部を補強する構造に関するものである。
【背景技術】
【０００２】
近年、鉄筋コンクリート造又は鉄骨鉄筋コンクリート造等の鉄筋コンクリート構築物の主要構造部に使用する鉄筋の継手手段として、スリーブ状の継手金物が使用されている。該継手金物は、図２の点線に示すように、その両端部から各々鉄筋を挿入し、該継手金物の内側で固定する構造としているので、該継手金物の外径は鉄筋径と比較して太径となっている。従って、主要構造部のせん断力補強等の有効手段として該継手金物を配設した部位にスターラップ筋或いはフープ筋等のせん断補強筋を設け、該せん断補強筋を相互に対向する位置の最外側に位置する該継手金物の外側壁間に小間隔毎或いは密接に並べて架け渡したり連続的に架け渡して（以下、それらを総称して巻き付け、と表現する）いる。しかし、上記したように、該継手金物は太径のため、該外側壁間に巻き付けられた該せん断補強筋は他の位置の最外側に位置する鉄筋に巻き付けられたものより大気に近い外方位置（コンクリートの表面側）へ突出することになり、それにより構築物の必要とするかぶり厚となるコンクリート部分が他の位置より外方へ突出することになり、そのことは当該部位のみならず他の部位全体のかぶり厚を厚くするとか、最外側に位置する鉄筋の位置を内側へ移動（主筋の位置を下げる）させる設計変更等を余儀なくされ、それら設計変更や施工においても効率的ではなく、経済的ではなかった。
【０００３】
そこで、図７に示すように、対向する位置の継手金物Ａ間にせん断補強筋を巻き付けることなく該継手金物Ａの端部となる鉄筋の入り口部の外方に複数の又は所定のせん断補強が得られる太い或いは予め束ねた１本巻きの単数のせん断補強筋を集約して配設して鉄筋に巻き付け（以下、上記した太く或いは予め束ねたせん断補強筋も想定されるが、それらを総称して集約せん断補強筋或いは鉄筋を束ねた集約せん断補強筋という）、該せん断補強筋Ｂや集約せん断補強筋Ｃが外方へ突出してかぶり厚に影響を与えないようにして当該部位に生じる所定のせん断力に耐える構造としていた。なお、図７は、該継手金物Ａを縦方向に設けた実施例であるが、梁等の横方向でも同様の構造となる。
【０００４】
上記構造により、該継手金物Ａが存在する部位には該せん断補強筋Ｂや集約せん断補強筋Ｃが存在しない無筋空間部Ｄが生じ、他のせん断補強筋Ｂや集約せん断補強筋Ｃが存在する部位と比較して該継手金物Ａが長いため広い空間部Ｄが得られることになる。それにより、当該箇所を開口部の位置として積極的に利用する構造を選択することが容易となる。また、該継手金物Ａを配設した部位に開口部を設けなければならない設計上の問題が生じることもある。
【先行技術文献】
【特許文献】
【０００５】
【特許文献１】特開平７−３９４２号公報
【特許文献２】特開２００２−３５６９５３号公報
【発明の概要】
【発明が解決しようとする課題】
【０００６】
本発明は、上記状況を考慮し、継手金物を設けた部位に開口部を形成した構造で、該開口部により生じる構造上の問題を解決するために該継手金物部位のせん断補強と同時に該開口部を補強する構造に関するものである。
【課題を解決するための手段】
【０００７】
本発明は、鉄筋コンクリート造又は鉄骨鉄筋コンクリート造等の構築物の主要構造部における鉄筋の継手手段として鉄筋径より太径となる継手金物を使用し、該継手金物が対向配置される空間部位置に開口部を設ける構造において、該継手金物が配置される位置にせん断補強筋を配設せず、該継手金物の両端部外方位置となる主要構造部の対向する最外側の鉄筋相互間に巻き付ける鉄筋を密状態とした集約せん断補強筋とし、該継手金物と該集約せん断補強筋とで囲まれた無筋状態の空間部に開口部、その周囲の残余空間部に該開口部を囲むように斜材部材或いは湾曲部材並びにそれらに連続する直線部材を有する補強鉄筋を設け、該補強鉄筋を該集約せん断補強筋位置まで延設し、その重なる位置では内側に配設し、該補強鉄筋の一部を該集約せん断補強筋と連結して開口部補強筋とした継手金物部位に設けた開口部の補強構造を特徴とする。
【０００８】
また、上記集約せん断補強筋は、主要構造部の長手方向において、鉄筋相互が接する状態の密接配設してなる継手金物部位に設けた開口部の補強構造を特徴とする。
【０００９】
更に、上記集約せん断補強筋は、主要構造部の長手方向において、鉄筋相互間に小間隔が生じるように集中状態で配設してなる継手金物部位に設けた開口部の補強構造を特徴とする。
【００１０】
また、上記開口部補強筋は、直線部材と斜材部材とを組み合わせてなる継手金物部位に設けた開口部の補強構造を特徴とする。
【００１１】
更に、上記開口部補強筋は、四角形部材と多角形部材或いは多角形部材相互又は多角形部材と円形部材或いは円形部材相互等を適宜組み合わせてなる継手金物部位に設けた開口部の補強構造を特徴とする。
【００１２】
また、上記開口部補強筋は、開口部の長手方向に沿って延出し、該開口部を囲むスパイラル状の鉄筋としてなる継手金物部位に設けた開口部の補強構造を特徴とする。
【００１３】
更に、上記開口部補強筋は、中子筋に連結してなる継手金物部位に設けた開口部の補強構造を特徴とする。
【発明の効果】
【００１４】
本発明は、鉄筋の継手金物の両端部外方にせん断補強筋を束ねた集約せん断補強筋を設けることにより対向する該継手金物の外側壁間にせん断補強筋を巻き付ける必要がなくなり、その巻き付けた集約せん断補強筋により当該部分からせん断補強筋が外方へ突出することがなくなり、コンクリートのかぶり厚の増加を防止し、最外側に位置する鉄筋の位置を内側へ移動させる設計変更等をすることなく、それら設計変更や施工において効率的になり、経済的になった。
【００１５】
また、対向する鉄筋の継手金物間にせん断補強筋が存在しない無筋空間部が得られることになり、その無筋空間部を利用して開口部を設けることが構造上及び施工上容易となった。
【００１６】
更に、上記開口部を形成した周囲の残余の無筋空間部に斜材部材或いは湾曲部材並びにそれらに連続する直線部材を有する開口部補強筋を該開口部を囲むようにして配設し、少なくともその一部を継手金物の両端部外方の対向する位置の鉄筋間に巻き付けた該集約せん断補強筋と重なる内側位置に配設し、該集約せん断補強筋等と固定することによりせん断補強筋を束ねた状態の強固な補強筋との結合部が得られることになり強固な連結が得られ、該開口部の補強を得ることが可能となった。
【図面の簡単な説明】
【００１７】
【図１（ａ）（ｂ）（ｃ）（ｄ）】（ａ）構築物の主要構造部の継手金物部位に設けた開口部の補強構造の長手方向の側面図、（ｂ）同短手方向の断面図、（ｃ）同他の実施例の断面図、（ｄ）同他の実施例の断面図。
【図２（ａ）（ｂ）】（ａ）開口部の補強構造の説明側面図、（ｂ）開口部の補強構造の説明側面図。
【図２（ｃ）】（ｃ）開口部の補強構造の他の実施例を示す長手方向の側面図。
【図３（ａ）（ｂ）（ｃ）（ｄ）】（ａ）開口部の補強構造の他の実施例を示す長手方向側面図、（ｂ）短手方向の断面図、（ｃ）同他の実施例の断面図、（ｄ）同他の実施例の断面図。
【図４】開口部の補強構造の他の実施例の説明側面図。
【図５（ａ）（ｂ）】（ａ）開口部の補強構造の説明側面図、（ｂ）同他の実施例の断面図。
【図６】開口部の補強構造の他の実施例の長手方向の側面図。
【図７】従来の集約せん断補強筋を示す概略側面図。
【発明を実施するための形態】
【００１８】
以下、図面を参考に本発明を実施するための最良の形態についてその実施例を説明する。
【実施例１】
【００１９】
図１（ａ）乃至（ｄ）は、本発明の鉄筋の継手金物部位に設けた開口部の補強構造に関する実施例を示したものである。１は鉄筋コンクリート造又は鉄骨鉄筋コンクリート造等の鉄筋コンクリート構築物の梁又は柱等の主要構造部の左右或いは上下方向に延びる鉄筋２の端部相互を連結するための継手金物で、該継手金物１への鉄筋挿入部となる両端部３ａ、３ｂの外方に複数本のスターラップ筋或いはフープ筋等のせん断補強筋を密接或いは小間隔を有して鉄筋２の長手方向に沿って並べた状態で上下或いは左右の最外側に位置する鉄筋２に巻き付けて集約せん断補強筋４としている。
【００２０】
梁又は柱等の主要構造部に設けるせん断補強筋５は、一定の間隔毎に設けているが、本実施例では該継手金物１を設けた部位には該せん断補強筋５を設けていない。それにより該継手金物１が対向位置に存在し、且つ集約せん断補強筋４とで囲まれた部位はせん断補強筋５を含め鉄筋が存在しない空間部Ｓが得られることになる。従って、該せん断補強筋５を含め他の鉄筋に邪魔されることなく開口部６を設けることが容易となる。
【００２１】
上記上下或いは左右の該継手金物１及び該集約せん断補強筋４とで囲まれた空間部Ｓ内に開口部６を設けることにより、その周囲には残余の空間部Ｓが生じることになる。
【００２２】
該残余の空間部Ｓ及び上下或いは左右の集約せん断補強筋４並びにせん断補強筋５にかけて、その内側となる背面位置に開口部補強筋７を設ける。該開口部補強筋７は、図１（ｂ）、（ｃ）に示すように、最外側に位置する鉄筋２に巻き付けて継手金物１の両端部３ａ、３ｂに位置する集約せん断補強筋４及びせん断補強筋５或いは主鉄筋等の各々の内側となる背面位置に固定することになるが、図１（ｄ）に示すように、中子筋８が存在する位置の前面又は背面位置或いは中子筋８を中心としてその両面に固定する実施例も考えられる。
【００２３】
該開口部補強筋７の全体配筋の概略は、図１（ａ）の側面図に示すような位置となるが、該開口部補強筋７には複数本の補強筋が組み合わされて形成されているのでの交差部が生じている。数箇所の
交差部が生じている。そこで、図２（ａ）、（ｂ）によって開口部補強筋７の前面側及び／又はその後面側の補強筋を分解配置して説明する。
【００２４】
図２（ａ）は、前面側に位置する開口部補強筋７を示している。該開口部補強筋７は、前面側に位置する一方の継手金物１ａの他端部３ｂ側から前面側に位置する他方の継手金物１ｂの一端部３ｃ側へ斜材部材を有して延設した構造としている。
【００２５】
該開口部補強筋７は、前面側に位置する一方の継手金物１ａの一端部３ｂ側より一方の鉄筋２ｂの長手方向へ延設する方向と同一方向へ該鉄筋２ｂと平行に延設した延長部材９ｂと一方の該集約せん断補強筋４ｂ（一点鎖線で表示）の内側背面を通過し、該開口部６の開口縁から該継手金物１ａ側へ離れた位置に折曲部１０ｂを設け、該折曲部１０ｂから、他方の継手金物１ｂ側へ折曲し、他方の該集約せん断補強筋４ａの内側背面を通過し、他方側の継手金物１ｂの他方の端部３ｃ側の他方の鉄筋２ｃの長手方向へ延設する方向と同一方向へ該鉄筋２ｃと平行に延設して延長部材９ａとし、該延長部材９ａは折曲部１０ａにより折り曲げられて連続的に延設され、該折曲部１０ｂ、１０ａ間に斜材部材１１ａを設けてなる第１補強筋１２と、上記第１補強筋１２と同様の形状とし、折曲部１３ｂ、１３ａ間の斜材部材１４ａを、該開口部６の上記斜材部材１１ａとは開口部６を挟んで反対側位置を通過するようにし、該折曲部１３ｂ、１３ａからは各々延長部材１３ｅ、１３ｆを設け、それらにより第２補強筋１５とし、上記第１、第２補強筋１２、１５とにより前面側の開口部補強筋としている。
【００２６】
上記第１補強筋１２は、結束筋、クリップ、溶接等の各種固定手段１６によって集約せん断補強筋４ｂ、４ａ及び場合によってはせん断補強筋５ｂ、５ａ、主鉄筋或いは他の部材等に連結され固定されることになる。また、上記第２補強筋１５は、上記同様に、固定手段１７によって集約せん断補強筋４ｂ、４ａ及び場合によってはせん断補強筋５ｂ、５ａ、主鉄筋或いは他の部材等に連結され固定されることになる。
【００２７】
他方、上記第１、第２補強筋１２、１５の後面側に重ねて配置する開口部補強筋７は、図２（ｂ）に示すように、継手金物１ａの一端部３ａ側より一方の鉄筋２ａの長手方向へ延設する方向と同一方向へ該鉄筋２ａと平行に延設した延長部材９ｃと一方の該集約せん断補強筋４ａの内側背面を通過し、該開口部６の開口縁から該継手金物１ａ側へ離れた位置に折曲部１０ｃを設け、該折曲部１０ｃから、他方の継手金物１ｂ側へ折曲し、他方の該集約せん断補強筋４ｂの内側背面を通過し、他方の継手金物１ｂの他端部３ｄより他方の鉄筋２ｄの長手方向へ延設する方向と同一方向へ該鉄筋２ｄと平行に延設した延長部材９ｄへの節目となる折曲部１０ｄまで延設した斜材部材１８ａを設けてなる第３補強筋１９と、上記第３補強筋１９と同様の形状とし、折曲部１３ｃ、１３ｄ間の斜材部材２０ａを、該開口部６の上記斜材部材１８ａとは開口６を挟んで反対側位置を通過するようにし、該折曲部１３ｃ、１３ｄからは各々延長部１３ｇ、１３ｈを設け、それらにより第４補強筋２１とし、上記第３、第４補強筋１９、２１とにより後面側の開口部補強筋としている。
【００２８】
上記第３補強筋１９は、固定手段２２によって集約せん断補強筋４ｂ及び場合によってはせん断補強筋５ａ、５ｂ、主鉄筋或いは他の部材等に連結され固定されることになる。また、上記第４補強筋２１は、上記同様に、固定手段２３によって集約せん断補強筋４ａ及び場合によってはせん断補強筋５ａ、５ｂ、主鉄筋或いは他の部材等に連結され固定されることになる。
【００２９】
上記開口部６の周辺部に存在している残余の空間部Ｓを上記第１乃至第４補強筋を前面側及び後面側に組み合わせることにより、主要構造部の手前側の開口部補強筋７としている。該開口部補強筋７は、図１（ａ）に示すように、延長部材及び斜材部材によって開口部６の周辺を囲むことにより全体として菱形形状或いは多角形形状とされている。
【００３０】
上記実施例の第１、第２補強筋１２、１５の位置を、第３、第４補強筋１９、２１の位置とは逆にしてその後面側としてもよいことは言うまでもない。
【００３１】
また、上記実施例の第１、第２補強筋１２、１５と第３、第４補強筋１９、２１との重なりを開口部の大きさや無筋空間部の大きさ等に応じて図１（ａ）で示す状態より、図２（ｃ）の矢印で示すように、相互に開口部６側にずらしたり、或いは鉄筋２の長手方向となる方向へずらして構成することも可能である。この場合、開口部６と開口部補強筋７との間に該開口部６の補強が達成できるようにバランス良く配置できるように折曲部の角度を変えたり、形状を変えたりして空間部Ｓ全体を有効に利用することになる。
【００３２】
図１（ｂ）、（ｃ）に示す断面図は、上記第１乃至第４補強筋１２、１５、１９、２１よりなる開口部補強筋７を手前側及び奥側に位置する集約せん断補強筋４（場合によってはせん断補強筋５、主鉄筋或いは他の部材等）に固定した実施例を示すものであり、図１（ｄ）に示す断面図は、該開口部補強筋７を手前側の集約せん断補強筋４（場合によってはせん断補強筋５、主鉄筋或いは他の部材等）及び奥側の集約せん断補強筋４（場合によってはせん断補強筋５、主鉄筋或いは他の部材等）に固定する他に、該開口部補強筋７を中子筋８にも固定した開口部の補強構造を示している。該開口部補強筋７は中子筋８を中心としてその両面に固定した開口部の補強構造も考えられる。
なお、図面では開口部補強筋７を３列までの配筋として例示しているが、鉄筋や部材厚によっては４列或いはそれ以上の配筋も考えられる。
【実施例２】
【００３３】
図３（ａ）乃至（ｄ）は、本発明の鉄筋の継手金物部位に設けた開口部の補強構造の他の実施例を示したものである。３１は鉄筋コンクリート造又は鉄骨鉄筋コンクリート造等の鉄筋コンクリート構築物の梁又は柱等の主要構造部の左右或いは上下方向に延びる鉄筋３２の端部相互を連結するための継手金物で、該継手金物３１の両端部３３ａ、３３ｂへ該鉄筋３２を挿入することで該鉄筋３２相互を連結している。該継手金物３１への鉄筋３２の挿入部となる両端部３３ａ、３３ｂの外方にせん断補強筋を密接或いは小間隔を有して鉄筋３２の長手方向に沿って並設状態で上下或いは左右の最外側に位置する鉄筋３２に巻き付けて集約せん断補強筋３４としている。他の部位には、一定間隔毎にせん断補強筋３５を設けている。
【００３４】
上記左右或いは上下に位置する該継手金物３１及び該集約せん断補強筋３４とで囲まれた部位は、せん断補強筋３５を含め他の鉄筋が存在しない無筋状態の空間部Ｓが形成されることになり、該せん断補強筋３５や他の鉄筋に邪魔されることなく開口部３６を設けることが容易となる。
【００３５】
上記のように、左右或いは上下の該継手金物３１及び該集約せん断補強筋３４とで囲まれた空間部Ｓ内に開口部３６を設けることにより、その周囲には残余の空間部Ｓが生じることになる。
【００３６】
該残余の空間部Ｓに、該開口部３６を取り囲むようにして開口部補強筋３７を設ける。該開口部補強筋３７は、本実施例では内側にほぼ菱形形状の第１補強筋３８、該第１補強筋３８の外側をほぼ八角形状の第２補強筋３９で取り囲むようにして二重に形成している。また、第１補強筋３８、第２補強筋３９の位置を逆にしたり、或いはそれらを連続状態で形成したり、また、それらを三重、四重、・・・にした形状も考えられる。
【００３７】
図４に示すように、上記開口部補強筋３７は、一方の集約せん断補強筋３４ａから一方の継手金物３１ａに向かって該開口部３６を囲むようにして斜材部材４０を設け、折曲部４１から折り曲げて他方の集約せん断補強筋３４ｂへ向かって斜材部材４２を設け、更に、折曲部４３で折り曲げて他方の継手金物３１ｂに向かって斜材部材４４を設け、更に、折曲部４５で折り曲げて斜材部材４６によってスタート位置の折曲部４７へ戻して全体として菱形形状或いは多角形形状の第１補強筋３８としている。
【００３８】
上記第１補強筋３８と連続或いは断続状態で一体として作用することになる折曲部４７より該集約せん断補強筋３４ａと平行として所定長の延設後、該継手金物３１ａに向かって折曲部４８で折り曲げ、該斜材部材４０の外側に該斜材部材４０と平行状態で斜材部材４９を設け、その一端の折曲部５０で折り曲げて該折曲部４１と接する或いは固定又は断続状態で一体として作用して該継手金物３１ａと平行となるように折曲部５１の位置まで延設して平行部材５２とし、該折曲部５１より他方の集約せん断補強筋３４ｂ側へ折り曲げて斜材部材５３とし、該折曲部５４により折り曲げて該他方の集約せん断補強筋３４ｂと平行となるように平行部材５５を設け、折曲部５６まで延設し、該折曲部５６から継手金物３１ｂに向かって該斜材部材４４と平行となるように折り曲げて斜材部材５７とし、次の折曲部５８まで延設し、該折曲部５８により該継手金物３１ｂと平行となるように折り曲げて延設して平行部材５９とし、その折曲部６０から一方の集約せん断補強筋３４ａ側へ延設して斜材部材６１とし、その一端側を折曲部６２として該集約せん断補強筋３４ａと平行として平行部材６３とし、該平行部材６３は先の第１補強筋３８のスタート部となる折曲部４７で連続或いは断続状態で一体として作用することになる第２補強筋３９としている。
【００３９】
上記第１補強筋３８と第２補強筋３９とにより開口部補強筋３７とし、図３（ｂ）、（ｃ）にあっては、手前側及び奥側の上下或いは左右に位置する集約せん断補強筋３４、主鉄筋或いは他の部材等に固定手段６４、６５により固定している。また、図３（ｄ）にあっては、手前側及び奥側の上下或いは左右に位置する集約せん断補強筋３４、主鉄筋或いは他の部材等の他に中子筋６６にも固定手段によって連結し、開口部の補強構造としている。中子筋６６にはその前面又は背面位置或いは中子筋６６を中心としてその両面に固定する実施例も考えられる。
【００４０】
なお、６７は開口部を形成する筒体等を保持する支持突出部である。
【実施例３】
【００４１】
図５（ａ）、（ｂ）は、鉄筋の継手金物部位に設けた開口部の補強構造の他の実施例で、左右或いは上下の継手金物７１及び集約せん断補強筋７４に囲まれた無筋空間部Ｓに開口部７６を設けたものである。
【００４２】
該開口部７６を設けた残余の無筋空間部Ｓに該開口部７６を取り囲むようにして手前側の該集約せん断補強筋７４から奥側の集約せん断補強筋７４側へと連続するスパイラル状の開口部補強筋７７を設けることにより該開口部７６を補強したものである。
【００４３】
該スパイラル状の開口部補強筋７７は、開口部７６の外方となる周囲の長手方向に沿って延設されるもので、スパイラルを形成する両端部からは集約せん断補強筋７４及び場合によってはせん断補強筋７５、主鉄筋或いは他の部材等の内側に固定できるように延長部材７８を設け、該延長部材７８を固定手段７９、８０によって連結固定している。
【００４４】
上記実施例２と同様、開口部７６を形成する筒体等を保持する支持突出部を設けることもできる。また、該開口部補強筋７７は、その長手方向の中間部から延長部材７８を延出し、それを中子筋と固定することもできる。中子筋６６にはその前面又は背面位置或いは中子筋６６を中心としてその両面に固定する実施例も考えられる。
【実施例４】
【００４５】
図６は、鉄筋の継手金物部位に設けた開口部の補強構造の他の実施例で、該継手金物８１を上下或いは左右の同方向に数列ずつ設け、その内側に位置する継手金物８１と集約せん断補強筋８４とで囲まれた無筋空間部Ｓに開口部８６を設けたものである。
【００４６】
該開口部８６の周縁と残余の無筋空間部Ｓに該開口部８６を取り囲むようにして、上記実施例１乃至３に示した開口部補強筋を設け、それらを上記実施例同様、集約せん断補強筋８４及び場合によってはせん断補強筋８５や中子筋、主鉄筋或いは他の部材等に固定することにより該開口部８６を補強することができる。また、該開口部補強筋と他の部材との固定は、上記実施例１乃至３と同様である。
【符号の説明】
【００４７】
１、３１、７１、８１  継手金物
２、３２  鉄筋
３、３３  端部
４、３４、７４、８４  集約せん断補強筋
５、３５、７５、８５  せん断補強筋
６、３６、７６、８６  開口部
７、３７、７７  開口部補強筋
８、６６  中子筋
９、１２、７８  延長部材
１１、１４、１８、２０、４０、４２、４４、４６、４９、５３、５７、６１斜材部材
１２、３８  第１補強筋
１５、３９  第２補強筋
１６、１７、２２、２３、６４、６５、７９、８０  固定手段
１９  第３補強筋
２１  第４補強筋
５２、５５、５９、６３  平行部材
【図１（ａ）（ｂ）（ｃ）（ｄ）】
0005603667.tif 000002
【図２（ａ）（ｂ）】
0005603667.tif 000003
【図２（ｃ）】
0005603667.tif 000004
【図３（ａ）（ｂ）（ｃ）（ｄ）】
0005603667.tif 000005
【図４】
0005603667.tif 000006
【図５（ａ）（ｂ）】
0005603667.tif 000007
【図６】
0005603667.tif 000008
【図７】
0005603667.tif 000009